【事件の表示】
　特願２０１０−　　　６１７「画像処理装置、画像処理方法及びコンピュータ読み取り可能な記憶媒体」拒絶査定不服審判事件〔平成２２年　５月２７日出願公開、特開２０１０−１１８０６７〕について、次のとおり審決する。
【結　論】
　本件審判の請求は、成り立たない。
【理　由】
１．手続の経緯 
　
　本願は、平成９年特許願第２９４３８８号の分割出願として、平成２２年１月５日に出願されたものであって、平成２２年５月１９日付け拒絶理由通知に対して平成２２年７月２６日付けで手続補正がなされたが、平成２２年１０月１２日付けで拒絶査定がなされ、これに対し、平成２３年１月１９日に拒絶査定に対する審判請求がなされたものである。 
　
２．本願発明 
　
　本願の請求項に係る発明は、平成２２年７月２６日付けで補正された特許請求の範囲の請求項１〜８に記載されたとおりのものと認められるところ、その請求項１に記載された発明（以下、「本願発明」という。）は次のとおりである。 
 　 
　【請求項１】
　複数のＸ線センサそれぞれ固有のゲイン差を補正する複数の補正用テーブルを記憶する記憶手段と、
　Ｘ線撮影に使用されるＸ線センサが変更された場合に、当該変更されたＸ線センサ固有の補正用テーブルを前記記憶手段から読み出す読み出し手段と、
　前記変更されたＸ線センサが出力する画像データを前記読み出された補正用テーブルを用いてゲイン補正する補正手段と、を有することを特徴とする画像処理装置。
 　 
３．引用刊行物に記載の発明
　 
（１）拒絶査定の理由を通知した平成２２年５月１９日付け拒絶理由に引用された引用文献２である特開平４−１６４４３８号公報（以下、刊行物２と記す）には、次の事項が図面とともに記載されている。 
 　 
（ア）「本装置１０は、Ｉ．Ｉ．を検出手段とするＸ線撮影系により撮影して得られた透視像データ，撮影像データ又は再生像データ等の画像データを記憶する画像メモリ１１と、画像メモリ１１に記憶された画像データについて濃度変換処理等を行うルックアップテーブル（以下「ＬＵＴ」と略す。）１２と・・・（中略）・・・とを有している。」 
 　　　 （第２頁左下欄第６行〜第１９行、第１図） 
　
（イ）「第４図は本発明の第２の実施例装置２０の要部構成図を示すものである。・・・（中略）・・・ 
 　本装置２０の第１の実施例装置１０との主な相違点は、表示制御部２５にあり、この装置２０は第１の実施例装置１０と同様の画像メモリ１１，ＬＵＴ１２，ミキサＭ，Ｄ／Ａ変換器１３，ＴＶモニタ等を備えている。またこの装置２０は、図示しない複数のＸ線撮影系が接続されている。」 
 　 　　（第３頁左下欄第１０行〜第２０行、第４図） 
　
　以上を総合すると、刊行物２には、次の（ウ）なる発明（以下、「引用発明Ａ」という。）が記載されている。 
　
［引用発明Ａ］
（ウ）複数のＸ線撮影系が接続され、該複数のＸ線撮影系により撮影して得られた透視像データ、撮影像データ又は再生像データ等の画像データを記憶する画像メモリ（１１）と、該画像メモリ（１１）に記憶された画像データについて濃度変換処理等を行うルックアップテーブル（ＬＵＴ１２）を有する画像表示装置。　 
 　 
　なお、審判請求人が審判請求書において主張するように、「引用文献２に記載のセレクタ２９は、Ｘ線撮影画像の表示制御を行うための構成であり、Ｘ線撮影画像の取得後、Ｘ線撮影画像の表示を行う際に、複数のＬＵＴ２７の内の１つを選択するもの」であるが、ブランキング領域そのものは、識別のために、Ｘ線撮影系に応じて色相を、Ｘ線照射のＯＮ／ＯＦＦ信号に応じて彩度を変更するものであるものの、その一方、ブランキング領域の内側の円形領域３に表示する画像については、Ｘ線撮影系の変更やＸ線照射のＯＮ／ＯＦＦによって何ら変更を加えられるものではない。 
　すなわち、刊行物２に記載されたものにおいて、複数のＬＵＴ２７を含む第４図に示される表示制御部２５は、ＬＵＴ１７及びＬＵＴ１８を含む第１図に示される表示制御部１５と置き換わるものであって、ＬＵＴ１２を介し、ブランキング領域の内側の円形領域３に表示される画像は、ＬＵＴ２７の選択によって影響を受けるものではない。 
　以上のとおりであるから、刊行物２には、上記、［引用発明Ａ］が記載されているといえる。 
 　 
（２）また、同拒絶理由に引用された引用文献１である特開平７−２３６０９３号公報（以下、刊行物１と記す）には、次の（エ）〜（ク）の事項が図面とともに記載されている。 
 　 
（エ）「【０００１】 
 【産業上の利用分野】この発明は、Ｘ線診断装置などに使われる撮像装置に係り、とくに光学像を撮像する撮像素子としてＣＣＤ（ChargeCoupledDevice）などの固体撮像素子を用いた撮像装置に関する。 
 【０００２】 
 【従来の技術】従来、この種の撮像装置を搭載した機器として、例えば医用のＸ線透視装置がある。このＸ線透視装置では、被検体を透過してきたＸ線がイメージ・インテンシファイヤ（Ｉ．Ｉ．）で光信号に変換され、この光信号が撮像装置に入射される。撮像装置では、そのＴＶカメラの固体撮像素子により、光信号が電気信号に変換される。そして、この撮像装置から出力された電気信号に基づきモニタに透視像が表示されるようになっている。 
 【０００３】固体撮像素子では、受光部に配置される受光素子の内、被写体像を実際に光電変換させる有効画素領域と、光学的黒（オプチカルブラック）と称する、遮光された画素領域とを有している。この光学的黒の画素領域からは暗電流が出力される一方で、有効画素領域からの暗電流はそのままオフセット分として有効画素領域の各画素の出力電流に重畳されるので、このオフセットを補正する必要がある。」 
 　 
（オ）「【００１９】 
 【作用】請求項１〜３及び８記載の発明では、予め測定された画素毎の補正データに基づいてオフセット補正が行われる。このとき、補正データは、画素値依存域を有する補正量特性の固体撮像素子の場合、出荷時にその領域外に対応した入射光量で収集されるし、画素値依存域が無い補正量特性の固体撮像素子の場合、暗時出力が補正データとして収集される。このように補正量特性に応じて、収集時期及び収集状態を変えるので、簡単な構成ながら、精度の高いオフセット補正が行われる。」 
 　 
（カ）「【００２６】Ｘ線管１０は高電圧発生器１４を介してＸ線制御器１５に接続されており、Ｘ線制御器１５から出力されるＸ線曝射信号Ｓ１に応答してＸ線を曝射可能になっている。またＩ．Ｉ．１１は被検体Ｐを透過してきたＸ線を入力し、そのＸ線を光学像に対応した光信号に変換するもので、光信号はレンズなどから成る光学系１２を介してＴＶカメラ１３の固体撮像素子１３ａに照射される。固体撮像素子１３ａに照射された光信号は、各画素に対応した受光素子夫々において対応する電気量の画像信号に変換される。固体撮像素子１３ａは駆動回路１６から送られてくる駆動信号Ｓｄ及び画素アドレス信号Ｓａを受けて上述の光−電気変換を行う。 
 【００２７】ＴＶカメラ１３の出力側はさらに、増幅器１７及びＡ／Ｄ変換器１８を介して２入力の加算器１９の一方の入力端に接続されている。これにより、ＴＶカメラ１３から出力された画像信号は増幅後、Ａ／Ｄ変換されてデジタル量の画像データＤｉとなって加算器１９に入力する。 
 【００２８】一方、加算器１９のもう一方の入力端はオフセット・メモリ２０の出力側に接続され、このオフセット・メモリ２０の入力側には前述した駆動回路１６からの画素アドレス信号Ｓａが入力するようになっている。オフセット・メモリ２０には、固体撮像素子１３ａの画素毎に決まる補正量としてのオフセット・データＤoff（画素毎に正又は負の値）を事前に記憶させてある。このオフセット・データＤoffは、暗時出力を補正するためのもので、予め装置の出荷時など、装置の使用時よりも前に収集され、記憶されている。なお、オフセット・データの収集時において、固体撮像素子１３ａの「補正量−画素値」特性に、図２２に示すような補正量（＝変分）が画素値に依存する画素値依存域Ｒpが在る場合、この画素値依存域Ｒpを避ける画素値の光学像を固体撮像素子１３ａに入射させて収集を行う。 
 【００２９】オフセット・メモリ２０は画素アドレス信号Ｓａにより指定されたアドレスのオフセット・データＤoffを、固体撮像素子１３ａからの画像データＤｉの到来に同期させて、加算器１９に出力するようになっている。」 
 　 
（キ）「【００３７】オフセット・メモリ３３には第１実施例と同様にして収集された画素毎のオフセット・データＤoff＊が事前に格納されている。このため、オフセット・メモリ３３は画素アドレス信号Ｓａで指定されるアドレスに対応したオフセット・データＤoff＊を乗算器３２に出力する。一方、係数メモリ３１は撮像時間の長短に対応した係数を予め格納しており、撮影時間情報Ｓtimeに図４の如く対応した係数Ｃtimeを読み出し、乗算器３２に出力する。つまり、入力器２４から撮像モードの切り換えを指令した場合、撮影時間情報Ｓtimeも切り換わり、係数Ｃtimeも撮影時間の長短に対応した値に自動的に変更される。」 
 　 
（ク）「【００４０】なお、この実施例におけるオフセット・データ生成機構は、図５に示すように構成してもよい。つまり、オフセット・メモリ回路３４のオフセット・メモリに、予め撮像時間の長短に対応して選択可能な複数フレーム分のオフセット・データを格納しておき、撮影時間情報Ｓtime及び画素アドレス信号Ｓａに応じたオフセット・データＤoffを画素毎に直接、読出しできるようにしたものである。」 
 　 
　ここで、上記（エ）によれば、被検体を透過してきたＸ線がイメージ・インテンシファイヤ（Ｉ．Ｉ．）で光信号に変換され、この光信号が撮像装置に入射されて、そのＴＶカメラの固体撮像素子により、光信号が電気信号に変換されるものであるから、刊行物１に記載されたものは、イメージ・インテンシファイヤ及び個体撮像素子からなるＸ線センサを備えているものであり、また、上記（カ）によれば、オフセット・メモリ２０は、該オフセット・メモリ２０に入力される画素アドレス信号Ｓａによって、個体撮像素子１３ａの画素毎に決まる補正量としてのオフセット・データＤｏｆｆを出力するものであるから、該オフセット・メモリ２０の実体は、入力される画素アドレス信号Ｓａに対応した出力信号が出力されて、個体撮像素子が出力する画像データを補正するための補正用テーブルであることが理解される。 
 　 
　さらに、上記（オ）や上記（カ）の段落【００２８】の記載によれば、出荷時に個体撮像素子に対する補正データが収集され、記憶されることから、該補正データは該個体撮像素子に１対１で対応した個体撮像素子毎に異なる補正データであると理解される。 
 　 
　以上を総合すると、刊行物１には、以下（ケ）なる発明（以下、「引用発明Ｂ」という。）が記載されている。 
 
［引用発明Ｂ］
（ケ）個々のＸ線センサに対応した補正用テーブルであり、上記Ｘ線センサが出力する画像データを画素毎に補正する上記補正用テーブルを記憶する記憶手段と、上記記憶手段の出力と個体撮像素子が出力する画像データとを演算する補正手段（加算器１９）とを備える、Ｘ線診断装置などに使われる撮像装置であって、上記個体撮像素子毎に異なり上記個体撮像素子に１対１で対応した補正データが補正テーブルに記憶されるものである撮像装置 
 　 
４．対比・判断 
　
（１）本願発明と引用発明Ａとの対比 
　引用発明Ａにおける「Ｘ線撮影系」がＸ線センサを備えていることは自明である。 
　引用発明Ａの「ルックアップテーブル」は「濃度変換処理等を行う」ものであるから、本願発明の「補正用テーブル」及び「補正用テーブルを用いて補正する補正手段」の両者を包含するものといえる。 
 　 
　したがって、本願発明と引用発明Ａとは、以下（コ）の点で一致し、（サ）及び（シ）の点で相違している。 
 
［一致点］
（コ）複数のＸ線センサが接続され、該Ｘ線センサが出力する画像データを補正するための補正用テーブルと、 
 　上記Ｘ線センサが出力する画像データを上記補正用テーブルを用いて補正する補正手段と、 
 を備えた画像処理装置。 
 　 
［相違点］ 
（サ）本願発明が、Ｘ線センサそれぞれ固有のゲイン差を補正するものであるのに対して、 引用発明Ａは、Ｘ線センサの出力を補正しているものの、Ｘ線センサそれぞれ固有の「ゲイン差」を補正しているものとはされていない点。 
 　 
（シ）本願発明が、複数のＸ線センサそれぞれ固有のゲイン差を補正する「複数の補正用テーブル」を備え、Ｘ線撮影に使用されるＸ線センサが変更された場合に、「当該変更されたＸ線センサ固有の補正用テーブルを前記記憶手段から読み出す」ことにより、前記変更されたＸ線センサが出力する画像データを前記読み出された補正用テーブルを用いてゲイン補正するものであるのに対し、引用発明Ａは、複数のＸ線センサからの信号を入力して補正を行うものの、Ｘ線センサ毎に補正量を定めているのか否かが不明である点。 
 　 
 （２）相違点についての検討   
　
　引用発明Ａは、複数のＸ線撮影系が接続され、該複数のＸ線撮影系により撮影して得られた画像データについて濃度変換処理等を行うルックアップテーブルによって補正をして画像表示を行うものである。 
　一方、複数のＸ線撮影系は、感度等においてそれぞれ異なる特性を有しており、個々の撮影系それぞれに、異なる補正を行う必要があることは技術常識ということができ、例えば、引用発明Ｂは、Ｘ線センサの画素毎の感度の違いに起因する出力信号の差分（オフセット）を補正を行うものである。 
　してみれば、引用発明Ａにおいて、複数のＸ線センサから選択されたＸ線センサに応じ、センサ毎に固有のゲイン差を補正することは当業者が容易に想考することである。
　引用発明Ａにおいて、選択されたＸ線センサに応じた固有の補正を行うことは、変更されたＸ線センサ固有の補正用テーブルを前記記憶手段から読み出す読み出し手段と、前記変更されたＸ線センサが出力する画像データを前記読み出された補正用テーブルを用いて補正する補正手段を有することに他ならない。
　
　なお、本願発明において「ゲイン差を補正」とは、発明の詳細な説明の段落【０００３】に「２次元センサの各光電変換素子が１画素を形成するが、光電変換素子の感度（ゲイン）は、画素毎に異なるため、この感度差を補正する必要がある。」と記載されているように、センサの画素毎の感度差を補正することを意味し、該補正は撮像した画像データの濃度を補正することを意味する。
　すなわち、本願発明における「Ｘ線センサそれぞれ固有のゲイン差」を補正するための「Ｘ線センサ固有の補正用テーブル」とは濃度変換処理する際の変換処理内容を示すデータを記憶したテーブルに他ならない。
　引用発明Ａは、ＬＵＴを用いて画像データの濃度変換処理を行うものであるから、画像データを補正用テーブルを用いて補正するという点において本願発明と引用発明Ａは相違しない。
　そして、引用発明Ｂも濃度変換処理を行うものであって、引用発明Ｂの濃度変換処理は、「個々のＸ線センサに対応した補正用テーブルであり、上記Ｘ線センサが出力する画像データを画素毎に補正する上記補正用テーブルを記憶する記憶手段と、上記記憶手段の出力と個体撮像素子が出力する画像データとを演算する補正手段（加算器１９）とを備える」ことによって、２次元センサの画素毎の感度の違いに起因する出力信号の差分（オフセット）を補正する処理であるから、この濃度変換処理は本願発明が、「光電変換素子の感度（ゲイン）は、画素毎に異なるため、この感度差を補正する」ための処理と等価である。
　すなわち、引用発明Ｂは、Ｘ線センサ固有のゲイン差を補正する複数の補正用テーブルを記憶する記憶手段を備え、Ｘ線センサが出力する画像データを該補正用テーブルを用いてゲイン補正する補正手段を備えるものである。
 　 
　したがって、本願発明は、引用発明Ａ及びＢに基づいて、当業者が容易に発明をすることができたものである。 
 　 
 ５．むすび 
　
　以上のとおりであるから、本願請求項１に係る発明は原審において提示された刊行物である引用文献１及び２に記載された発明に基いて当業者が容易に発明をすることができたものであり、他の請求項に係る発明について検討するまでもなく、本願は、特許法第２９条第２項の規定により特許を受けることができない。 
　
　よって、審判請求の趣旨は認められないから、結論のとおり審決する。